(57)【要約】【課題】搬送路上に備えた搬送手段９、１０により紙幣４を挟持して搬送し所定の処理を行う紙葉類取扱装置において、緩く折れた紙幣４が搬送されたときでも、搬送のもたつきを防ぎ、紙幣４の搬送間隔を安定させ、搬送ジャムの発生を低減するとともに、短い搬送間隔で搬送できるようにする。【解決手段】搬送路上に備えた搬送手段９、１０により紙幣４を挟持して搬送し所定の処理を行う紙葉類取扱装置において、前記搬送路の搬送上流側に、前記紙幣４を搬送面と垂直方向に押圧するプレス手段１２ａ、１２ｂを設けるようにした。【選択図】図１
2013060298.tif 000002
【特許請求の範囲】
【請求項１】
搬送路上に備えた搬送手段により紙葉類を挟持して搬送し所定の処理を行う紙葉類取扱装置において、
前記搬送路の搬送上流側に、前記紙葉類を搬送面と垂直方向に押圧するプレス機構を設けるようにしたことを特徴とする紙葉類取扱装置。
【請求項２】
前記搬送手段は搬送ローラからなり、前記プレス機構はプレスローラからなり、前記プレスローラは、搬送上流側の前記搬送ローラ間に備えるようにしたことを特徴とする請求項１記載の紙葉類取扱装置。
【請求項３】
前記プレスローラは、複数に分割したローラからなることを特徴とする請求項２記載の紙葉類取扱装置。
【請求項４】
前記複数に分割したプレスローラは、搬送幅方向を互いにずらして搬送方向に複数配置したことを特徴とする請求項３記載の紙葉類取扱装置。
【請求項５】
前記プレスローラは、当該表面に高摩擦部材を備えるようにしたことを特徴とする請求項２ないし請求項４いずれか記載の紙葉類取扱装置。
【請求項６】
前記プレス機構は、鑑別部に具備する厚み検出手段を兼ねるようにしたことを特徴とする請求項１記載の紙葉類取扱装置。
【請求項７】
前記搬送手段は、幅広または複数の搬送ベルトからなり、前記プレス機構は、前記幅広または複数の搬送ベルトにより搬送面と垂直方向に紙葉類を押圧するようにしたことを特徴とする請求項１記載の紙葉類取扱装置。
【請求項８】
前記プレス機構は、前記搬送ベルト近傍に押圧ローラを備え、前記搬送ベルトを介して搬送面と垂直方向に紙葉類を押圧するようにしたことを特徴とする請求項７記載の紙葉類取扱装置。
【発明の詳細な説明】
【技術分野】
【０００１】
本発明は、紙幣等の紙葉類を搬送し所定の処理を行う紙葉類取扱装置に関するものである。
【背景技術】
【０００２】
一般に、現金自動預払機や現金処理機等の自動取引装置やプリンタ装置などの紙葉類取扱装置では、図７の側面図に示したように、紙葉類４を、ステージ５上に積層するスタッカ部から（或いは、図示していない紙葉類の投入口から）矢印のように回転するピックアップローラ２により繰り出し、同様に矢印のように回転するフィードローラ１と回転が規制されたゲートローラ３により一枚ずつに分離して搬送路に繰り出し、図示していないが途中に設けられる鑑別部や印字部にて所定の処理を実施しながら搬送し、矢印Ｄのように出金口、収納部或いは排紙ユニット等に搬出されるようになっている。
【０００３】
そして、紙葉類４を搬送する搬送路は、同図に示したように、紙葉類４の搬送面に垂直方向の動きを規制する搬送ガイド６、７と、紙葉類４を搬送するための矢印のように回転する搬送ローラ９（９ａ〜９ｃ）、搬送ローラ９に対向して配置され紙葉類４を搬送ローラ９方向にバネ等の付勢手段によって矢印Ｃ方向に付勢されながら矢印のように回転するピンチローラ１０（１０ａ〜１０ｃ）によって構成され、紙葉類４は搬送ローラ９と紙葉類４の接触表面間に発生する摩擦力により搬送される（例えば、特許文献１参照）。
【先行技術文献】
【特許文献】
【０００４】
【特許文献１】特開平５−５４２２４号公報
【発明の概要】
【発明が解決しようとする課題】
【０００５】
しかしながら、紙葉類４として顧客が使用している様々な状態の紙幣が投入されるような装置では、搬送路に繰り出される紙幣には折れや捲れ（めくれ）、切れ、破れが発生しているものが混入することが多い。
【０００６】
上記のような様々なクセがついている紙幣の中でも、図８に示したように、折れが潰れ（つぶれ）きっておらず、緩く折れ癖のついた紙葉類４ｘでは、膨らんだ先端部分が搬送ガイド６、７に同時に当接して紙葉類４ｘの搬送が遅くなり、また、折れ曲がった先端側４ｕの方が搬送下流側の搬送ローラ９ｂ（逆に先端が下側に折れ曲がった紙葉類の場合はピンチローラ１０ｂ）に入り込めず搬送が遅くなり、紙葉類搬送間隔が変動し、搬送ジャムとして検出され、取引が中断されてしまう場合があった。
【０００７】
一方、上記問題を解決するために、紙葉類の搬送間隔の変動に対するマージンを大きくすると、紙幣を繰り出す間隔を必要以上にあけなければならず、単位時間当たりの処理能力が低下してしまうという問題が発生する。
【課題を解決するための手段】
【０００８】
本発明は、前述の課題を解決するため次の構成を採用する。すなわち、搬送路上に備えた搬送手段により紙葉類を挟持して搬送し所定の処理を行う紙葉類取扱装置において、前記搬送路の搬送上流側に、前記紙葉類を搬送面と垂直方向に押圧するプレス機構を設けるようにした。
【発明の効果】
【０００９】
本発明の紙葉類取扱装置によれば以上のように構成したので、緩く折れた紙葉類が搬送されたときでも、当該折り目を押し潰して搬送し、搬送のもたつきを防いで紙葉類の搬送間隔を安定させ、搬送ジャムの発生を低減できるとともに、紙葉類の搬送間隔を短くして処理速度を向上させることができる。
【図面の簡単な説明】
【００１０】
【図１】実施例１の紙葉類取扱装置の構成図である。
【図２】実施例１の紙葉類取扱装置のゲート構造の説明図である。
【図３】実施例１の紙葉類取扱装置の搬送路の構成図である。
【図４】実施例１の紙葉類取扱装置のプレス機構の構成図である。
【図５】実施例２の紙葉類取扱装置のプレス機構の構成図である。
【図６】実施例２の紙葉類取扱装置の変形例のプレス機構の構成図である。
【図７】従来の紙葉類取扱装置の構成図である。
【図８】従来の紙葉類取扱装置の搬送路の動作説明図である。
【発明を実施するための形態】
【００１１】
以下、本発明に係わる実施の形態例を、図面を用いて説明する。図面に共通する要素には同一の符号を付す。なお、以下の説明では、紙葉類として紙幣を例として説明するが、紙葉状の媒体であれば折れ曲げてもよい用紙や帳票類などであってもよい。
【実施例１】
【００１２】
（構成）
図１は、実施例１の紙葉類取扱装置の側面図を示す。同図に示したように、紙幣４はステージ５の上に積層され、ピックアップローラ２に押し付けられている。
【００１３】
ピックアップローラ２は、すべりの良い素材で構成され、部分的に高摩擦部材が取り付けられており、矢印のように回転して高摩擦部材が紙幣４に接すると繰り出し力が発生し、それ以外のところでは繰り出し力が発生しないようになっている。
【００１４】
ピックアップローラ２の後段には、矢印のように回転するフィードローラ１とゲートローラ３が、図２の正面図に示したようにオーバーラップしてゲートを構成し、紙幣４が複数枚まとめて搬送されないようになっている。
【００１５】
すなわち、フィードローラ１は、すべりのよい素材で構成され、部分的に高摩擦部材が取り付けられ、高摩擦部材が紙幣に接すると繰り出し力を発生し、それ以外のところでは繰り出し力が発生しないようになっている。
【００１６】
前述のピックアップローラ２とフィードローラ１は図示しない機構により同期してそれぞれ回転し、１回転に１枚ずつ紙幣４をゲートに送り込む。
【００１７】
ゲートローラ３は、全周が高摩擦部材で覆われており、図示しないワンウェイクラッチ機構により紙幣搬送方向に回転しないように回転規制されている。
【００１８】
ピックアップローラ２とフィードローラ１の高摩擦部材による搬送力でゲート部に送り込まれた紙幣４は、紙幣４の上側にフィードローラ１とピックアップローラ２から強い搬送力があたえられ、紙幣４の下側にはゲートローラ３によるブレーキ力が与えられるため、紙幣４が積層されて繰り出された場合でも、１枚ずつ搬送路に繰り出すことができる。
【００１９】
そして、搬送路は、紙葉類４の搬送面と垂直方向の動きを規制する搬送ガイド６、７と、紙葉類４を搬送するために矢印のように回転する搬送ローラ９（９ａ〜９ｃ）と、搬送ローラ９に対向して配置されるピンチローラ１０（１０ａ〜１０ｃ）によって構成される。ピンチローラ１０（１０ａ〜１０ｃ）は、図３のように、それぞれバネ等の付勢手段１０ｐによりシャフト１０ｓが矢印Ｃ方向に付勢され、紙幣４を搬送ローラ９とピンチローラ１０にて挟持して搬送する構成となっている。
【００２０】
さらに、実施例１の紙葉類取扱装置の搬送路では、最初の搬送ローラ９ａ、ピンチローラ１０ａの後段に紙幣４をプレスするプレス機構としてのプレスローラ１２ａとプレスローラ１２ｂが設けられている。
【００２１】
このプレス機構は、図４に示したように幅方向に長い金属ローラからなり、プレスローラ１２ｂのシャフトがスプリング等の付勢手段１２ｐによってプレスローラ１２ａ側に付勢されている。
【００２２】
再び図１に戻って、プレスローラ１２ａとプレスローラ１２ｂは、図示しない駆動伝達機構により搬送ローラ９と同じ周速でそれぞれ矢印のように回転する。紙幣４は、このプレス機構を通過することにより、紙幣４に折れがあれば、当該折れがプレスされて押し潰されるようになっている。
【００２３】
そして、押し潰された紙幣４が、次の搬送ローラ９ｂおよびピンチローラ１０ｂ間、さらには搬送ローラ９ｃおよびピンチローラ１０ｃ間に次々と送り継がれ、矢印Ｄのように、図示しない集積部や搬出口へ搬送されるようになっている。
【００２４】
（動作）
以上の構成により実施例１の紙葉類取扱装置は、以下のように動作する。この動作を前出図１ないし図４を用いて、以下詳細に説明する。
【００２５】
まず、ステージ５上に積層された紙幣４を、図示しないモータ等によりステージ５を上方に移動し、矢印のように回転するピックアップローラ２に押し付ける。
【００２６】
そして、搬送ローラ９（９ａ〜９ｃ）を矢印のように回転させる。このとき、バネ等の付勢手段１０Ｐによって矢印Ｃ方向に付勢されたピンチローラ１０（１０ａ〜１０ｃ）は、搬送ローラ９の回転につられて搬送方向、すなわち矢印の方向に回転する。
【００２７】
次に、同期されているフィードローラ１とピックアップローラ２を搬送方向、すなわち矢印のように回転させると、部分的に配置された高摩擦部材に紙幣が接して間欠的に紙幣４に繰り出し力が加わり、上の紙幣４から順にフィードローラ１とゲートローラ３からなるゲート部に送りこまれ、ゲート部によって紙幣４が１枚ずつ搬送路に繰り出される。
【００２８】
ゲート部を通過した紙幣は、最初の搬送ローラ９ａとピンチローラ１０ａに挟持され、搬送路に送りこまれる。
【００２９】
最初の搬送ローラ９ａとピンチローラ１０ａに挟持され搬送された紙幣４は、プレスローラ１２ａとプレスローラ１２ｂによって構成されるプレス機構に送り込まれプレスされる。
【００３０】
プレス機構に送り込まれた紙幣に折れがあった場合、折り目がきつく折られているかどうかにかかわらず、プレス機構によりしっかり折り目がつけられる。
【００３１】
プレス機構を通過した紙幣４は折れがしっかり押し潰されているので、紙幣４の折れた先端部分が、搬送ガイド６、７に同時に当接することがなく、また、搬送下流側の搬送ローラ９ｂにスムーズに入り込み、搬送速度が遅くなることなく、搬送ローラ９ｂおよびピンチローラ１０ｂ、搬送ローラ９ｃおよびピンチローラ１０ｃにより挟持され、図示しない集積部や搬出口へ矢印Ｄのように搬送される。
【００３２】
（実施例１の変形例）
なお、以上の実施例１の説明では、プレスローラ１２の材質については、説明しなかったが、プレスローラ１２を金属のローラで構成してもよいし、プレスローラ１２ａ、１２ｂいずれかまたは両方の表面全周または一部を高摩擦部材で構成するようにしてもよい。
【００３３】
高摩擦部材を備えた構成とすれば、プレス機構でもフィード力を付与することができ、プレスローラ１２の前段に、搬送ローラ９ａおよびピンチローラ１０ａを設けない構成とすることもできる。その結果、より上流にプレスローラ１２を配置することが可能となり、緩い折れのある紙幣４の搬送がもたつくことをさらに低減することができる。
【００３４】
また、以上の実施例１の説明では、プレスローラ１２を最初の搬送ローラ９ａ、ピンチローラ１０ａの次に設ける構成として説明したが、折れを押し潰した効果は低くなるが、逆に、後段に設けるような構成としてもよい。
【００３５】
（実施例１の効果）
以上のように、実施例１の紙葉類取扱装置によれば、搬送路上に備えた搬送手段により紙幣を挟持して搬送し所定の処理を行う紙葉類取扱装置において、前記搬送路の搬送上流側に、前記紙幣を搬送面と垂直方向に押圧するプレス機構を設けるようにしたので、緩く折れた紙幣が搬送されたときでも、当該折り目を押し潰して搬送し、搬送のもたつきを防いで紙幣の搬送間隔を安定させ、搬送ジャムの発生を低減できるとともに、紙幣の搬送間隔を短くして処理速度を向上させることができる。
【実施例２】
【００３６】
（構成）
実施例１の紙葉類取扱装置では、プレス機構としてのプレスローラ１２ａ、１２ｂを長い１本のローラとしたが、全面を均一に当接させるように精度を上げて製造するには製造難度が高くなり、コストも高くなる。また、紙幣４がプレスローラ１２ａ、１２ｂ間を通過するときに紙幣４の厚み分だけプレスローラ１２ａ、１２ｂが離れる動作も、イナーシャが大きいために反応性が悪い。
【００３７】
以上の不具合を改良するべく、実施例２の紙葉類取扱装置では、図５に示したようにプレスローラ１２を複数のローラに分割してプレスローラ２２ａ、２２ｂとし、プレスローラ２２ｂの個々のシャフト２２ｓをスプリング等の付勢手段により矢印Ｃ方向に付勢するように構成している。
【００３８】
なお、下側のプレスローラのみ分割してプレスローラ２２ｂとしてもよいし、上側のプレスローラのみ分割してプレスローラ２２ａとし、プレスローラ２２ａの個々のシャフトをスプリング等により下側（矢印Ｃとは反対側）に付勢するようにしてもよい。
【００３９】
その他の構成は、実施例１の紙葉類取扱装置の構成と同様であるので、簡略化のためにその詳細な説明は省略する。
【００４０】
（動作）
以上の構成により、実施例２の紙葉類取扱装置は、以下のように動作する。すなわち、実施例２の紙葉類取扱装置では、前述の図５に示したように分割されたプレスローラ２２ｂの個々のシャフト２２ｓが付勢手段により矢印Ｃ方向に付勢されているので、凹凸のある紙幣４が搬送された場合でも、対向するプレスローラ２２ａとの間に隙間が発生することなく、紙幣４に折れがある場合では当該折れ曲がった部分が均一な付勢力ですばやく押し潰ぶされる。
【００４１】
（実施例２の変形例）
なお、以上の実施例２の紙葉類取扱装置のプレスローラ２２ａ、２２ｂの構成では、プレスローラ２２ａ、２２ｂの搬送幅方向に隙間が発生し、プレスできないエリアが発生しまうために、図６に示したように、プレスローラ３２ａ、３３ａのように搬送方向に２列配置し、それぞれのプレスローラの搬送幅方向の配置をずらし、プレスできないエリアが発生しないようにするとなおよい。
【００４２】
勿論、それぞれのプレスローラの配置を搬送幅方向にずらし、搬送方向に３列以上を配置してもよい。なお、図示していないが、プレスローラ３２ａ、３３ａに対向してそれぞれプレスローラ３２ｂ、３３ｂを設ける。
【００４３】
（実施例２の効果）
以上のように実施例２の紙葉類取扱装置によれば、プレスローラを複数に分割したローラから構成するようにしたので、実施例１の紙葉類取扱装置の効果に加え、プレスローラの反応性が向上し搬送速度を高くすることができるとともに、凹凸のある紙幣あっても凹凸に追従し均一の圧力により折れ曲がり部分を押し潰すことができる。
【００４４】
《その他の変形例》
以上の実施例の説明では、紙葉類４をローラにより搬送する紙葉類取扱装置において、プレス機構をローラにより構成する例を示したが、紙葉類４を搬送ベルトにて搬送する紙葉類取扱装置にあっては、一般に、１０ｍｍ程度の幅のベルトを２本もしくは３本使用しているが、これを幅広ベルトにして紙葉類４の折れをプレスするようにしてもよいし、通常の幅のベルトを多数並べて、折れをプレスするようにしてもよい。或いは、搬送ベルト近傍に押圧ローラ等を備え、搬送ベルトを介して紙葉類４を押圧して折れをプレスするプレス機構としてもよい。
【００４５】
また、以上の実施例の説明では、搬送しながらプレスローラにより紙葉類４をプレスするように説明したが、紙葉類４の搬送を一旦停止させ、押圧板と押圧板で挟んで紙葉類４をプレスして折れを押し潰すようにしてもよい。
【００４６】
また、以上の実施例の説明では、プレスローラのシャフトを付勢する付勢手段を設ける構成として説明したが、プレスローラ表面を弾性体で構成し、スプリング等の付勢手段を設けない構成としてもよい。
【００４７】
また、以上の実施例の説明では、紙幣鑑別部に具備している紙幣の厚みを検出する厚み検出ローラとは別に、プレスローラを設ける構成として説明したが、厚み検出ローラ（例えば、特開平９−２４５２１７号公報等）をプレスローラとして機能させるように構成してもよい。このようにすれば、新たにプレスローラとしての部品を増やす必要がなくなる。
【００４８】
また、前述の実施例１の変形例と実施例２および実施例２の変形例を組み合わせるようにしてもよい。すなわち、プレスローラを複数のローラに分割してプレスローラ２２ａ、２２ｂとした構成、分割したプレスローラの搬送幅方向の配置をずらし、プレスできないエリアが発生しないように複数のプレスローラ３２ａ、３３ａを配置した構成において、それぞれのプレスローラの表面に高摩擦部材を備えるようにしてもよい。このような構成とすることにより実施例１の変形例と同様の効果も得ることができる。
【産業上の利用可能性】
【００４９】
以上述べたように、本発明は、紙幣等の紙葉類を搬送し所定の処理を行う紙葉類取扱装置に広く用いることができる。
【符号の説明】
【００５０】
１    フィードローラ
２    ピックアップローラ
３    ゲートローラ
４（４ｘ）    紙幣（紙葉類）
５    ステージ
６、７    搬送ガイド
９（９ａ、９ｂ、９ｃ）  搬送ローラ
１０（１０ａ、１０ｂ、１０ｃ）  ピンチローラ
１０ｓ、１２ｓ  シャフト
１２ａ、１２ｂ、２２ａ、２２ｂ、３２ａ、３３ａ  プレスローラ
１０ｐ、１２ｐ  付勢手段
【図１】
2013060298.tif 000003
【図２】
2013060298.tif 000004
【図３】
2013060298.tif 000005
【図４】
2013060298.tif 000006
【図５】
2013060298.tif 000007
【図６】
2013060298.tif 000008
【図７】
2013060298.tif 000009
【図８】
2013060298.tif 000010